(57)【要約】      （修正有）【課題】握力や腕力の弱い人、または手や指等に障害を有する人でも、容易にかつ確実にペットボトル等の飲料容器に取り付けられた回転式キャップを取外すことが可能な回転式キャップ抜き具を提供する。【解決手段】飲料容器の開口部の螺子部に螺着された回転式キャップを取外す回転式キャップ抜き具１であって、略円筒状に形成され、先端部の開口部に飲料容器の首部が同軸上に挿入されるケース本体２と、当該ケース本体２の内部にこのケース本体２と同軸上に回転自在に設けられた回転軸３と、当該回転軸３を回転させるモータ１１とを備えてなり、ケース本体２内の回転軸３の先端部に、回転式キャップを把持して回転軸３と一体的に回転するキャップ把持部４が設けられているとともに、当該キャップ把持部４の先端部２ａ側に位置する先端部２ａの開口縁部に、首部の側面を挟持して飲料容器を支持する容器固定部５が設けられている。【選択図】図１
2013095493.tif 000002
【特許請求の範囲】
【請求項１】
飲料容器の開口部の螺子部に螺着された回転式キャップを取外す回転式キャップ抜き具であって、
略円筒状に形成され、先端部の開口部に上記飲料容器の首部が同軸上に挿入されるケース本体と、当該ケース本体の内部にこのケース本体と同軸上に回転自在に設けられた回転軸と、当該回転軸を回転させるモータとを備えてなり、
上記ケース本体内の上記回転軸の先端部に、上記回転式キャップを把持して上記回転軸と一体的に回転するキャップ把持部が設けられているとともに、当該キャップ把持部の上記先端部側に位置する上記先端部の開口縁部に、上記首部の側面を挟持して上記飲料容器を支持する容器固定部が設けられていることを特徴とする回転式キャップ抜き具。
【請求項２】
上記容器固定部は、円筒状に形成され、内周面の円周方向の少なくとも二箇所に上記首部の側面を挟持して上記飲料容器を支持する固定用突起が設けられているとともに、当該固定用突起の少なくとも一方が弧状なし、当該円周方向の一端側が回動自在に支持され、かつ他端部側に上記固定用突起が設けられるとともに、付勢部材により当該一端側を支点に径方向内方に付勢された可動式固定用突起であり、上記キャップ把持部が上記回転式キャップを把持して回転した際に上記首部の側面を挟持して当該飲料容器の回転を阻止することを特徴とする請求項１に記載の回転式キャップ抜き具。
【請求項３】
上記キャップ把持部は、円柱状に形成され、かつその先端面に上記回転式キャップが挿入可能な凹部が形成され、当該凹部の内周面の円周方向の少なくとも二箇所に上記回転式キャップの側壁を把持する把持用突起が設けられているとともに、当該把持用突起の少なくとも一方が弧状をなし、当該円周方向の一端側が回動自在に支持され、かつ他端部側に上記把持用突起が設けられるとともに、付勢部材により当該一端側を支点に径方向内方に付勢された可動式把持用突起であり、上記キャップ把持部が上記回転式キャップを開栓する方向に回転した際に当該回転式キャップの側壁を把持して回転することを特徴とする請求項１または２に記載の回転式キャップ抜き具。
【請求項４】
上記キャップ把持部の中心には、軸線方向に貫通する貫通孔が穿設されているとともに、上記回転軸に連結する円筒状の連結部が設けられ、かつ上記貫通孔に押出し棒が上記凹部内に出没自在に挿通されているとともに、上記連結部の内部に上記押出し棒を上記凹部側に向けて付勢する付勢手段が設けられていることを特徴とする請求項１から３のいずれかに記載の回転式キャップ抜き具。
【請求項５】
上記キャップ把持部の上記把持用突起の各々の内周面が、上記先端面から基端面に向けて内方に傾斜して形成されていることを特徴とする請求項１〜４のいずれかに記載の回転式キャップ抜き具。
【発明の詳細な説明】
【技術分野】
【０００１】
本発明は、ペットボトル等の飲料容器の開口部に螺着された回転式キャップを取り外すための回転式キャップ抜き具に関するものである。
【背景技術】
【０００２】
一般に、飲料容器の一つであるペットボトルは、水や清涼飲料などの飲料を収容するペットボトル本体と、当該ペットボトル本体の開口部を塞ぐ回転式キャップによって構成されている。
【０００３】
このペットボトルは、市販する段階において、充填されている飲料の漏洩を防止するために、上記回転式キャップが上記ペットボトル本体の上記開口部に強固に螺着されている。また、不正な開封を防止するために、ペットボトル本体の開口部側にタンパーエビデンスリングを取り付ける等の対策が施されている。
【０００４】
このため、上記ペットボトル本体の開口部に取り付けられた回転式キャップを開栓するためには、０．１Ｎ・ｍ〜２．０Ｎ・ｍ程度のトルク（開栓トルク）が必要になり、幼児や老人のように握力や腕力の弱い人には、上記飲料容器に取り付けられた回転式キャップを取外すことが非常に困難となる。
【０００５】
そこで、下記特許文献１においては、容器の飲み口に装着されたキャップの側部を把持固定し、前記キャップを回転させることにより開栓するキャップオープナーであり、前記キャップの側部が当接する側壁部および前記キャップの先端部が当接するストッパ部を有して前記キャップの一部または全部を受け入れるキャップ収容部と、前記キャップ収容部から延出する第一の握り部とを備えたキャップ押え部と、前記キャップの前記側部を前記キャップ収容部の側壁部に当接させる押付部と、前記押付部から延出する第二の握り部とを備えたキャップ押え部とを有し、前記第一の握り部および第二の握り部を握り合わせることにより、前記キャップの側部を前記押付部と前記側壁部との間に把持固定して、前記キャップを回転させるように構成したキャップオーブナ−が提案されている。
【０００６】
この上記従来のキャップオープナーは、容器の飲み口に装着されたキャップを上記ストッパー部と上記側壁部とに当接させるとともに、上記第一の握り部と上記第二の握り部とを把持して、上記キャップ押え部の押付部で押さえ付けた後に、回転させることにより、容易にキャップを開栓することができる。
【０００７】
しかしながら、上記従来のキャップオープナーは、上記キャップ押え部の押付部で押さえる際に、一方の手で上記第一の握り部と第二の握り部とを、しっかりと把持し、他方の手で容器を押さえないと、キャップを開栓することができないため、片手が不自由な人では、キャップを開栓することができないという問題がある。
【０００８】
また、一方の手で上記第一の握り部と第二の握り部とを把持する際に、握る力が弱い場合には、上記キャップの側部と、上記側壁部および上記押付部とが滑って開栓することができない。そのため、手の力の弱いお年寄りや幼児では、この従来のキャップオープナーでは、開栓することができないという問題もある。
【先行技術文献】
【特許文献】
【０００９】
【特許文献１】特開２００６−１６８８２４号公報
【発明の概要】
【発明が解決しようとする課題】
【００１０】
本発明は、かかる事情に鑑みてなされたもので、握力や腕力の弱い人、または手や指等に障害を有する人でも、容易にかつ確実にペットボトル等の飲料容器に取り付けられた回転式キャップを取外すことが可能な回転式キャップ抜き具を提供することを課題とするものである。
【課題を解決するための手段】
【００１１】
上記課題を解決するために、請求項１に記載の本発明は、飲料容器の開口部の螺子部に螺着された回転式キャップを取外す回転式キャップ抜き具であって、略円筒状に形成され、先端部の開口部に上記飲料容器の首部が同軸上に挿入されるケース本体と、当該ケース本体の内部にこのケース本体と同軸上に回転自在に設けられた回転軸と、当該回転軸を回転させるモータとを備えてなり、上記ケース本体内の上記回転軸の先端部に、上記回転式キャップを把持して上記回転軸と一体的に回転するキャップ把持部が設けられているとともに、当該キャップ把持部の上記先端部側に位置する上記先端部の開口縁部に、上記首部の側面を挟持して上記飲料容器を支持する容器固定部が設けられていることを特徴とするものである。
【００１２】
また、請求項２に記載の本発明は、請求項１に記載の回転式キャップ抜き具において、上記容器固定部は、円筒状に形成され、内周面の円周方向の少なくとも二箇所に上記首部の側面を挟持して上記飲料容器を支持する固定用突起が設けられているとともに、当該固定用突起の少なくとも一方が弧状なし、当該円周方向の一端側が回動自在に支持され、かつ他端部側に上記固定用突起が設けられるとともに、付勢部材により当該一端側を支点に径方向内方に付勢された可動式固定用突起であり、上記キャップ把持部が上記回転式キャップを把持して回転した際に上記首部の側面を挟持して当該飲料容器の回転を阻止することを特徴とするものである。
【００１３】
さらに、請求項３に記載の本発明は、請求項１または２に記載の回転式キャップ抜き具において、上記キャップ把持部は、円柱状に形成され、かつその先端面に上記回転式キャップが挿入可能な凹部が形成され、当該凹部の内周面の円周方向の少なくとも二箇所に上記回転式キャップの側壁を把持する把持用突起が設けられているとともに、当該把持用突起の少なくとも一方が弧状をなし、当該円周方向の一端側が回動自在に支持され、かつ他端部側に上記把持用突起が設けられるとともに、付勢部材により当該一端側を支点に径方向内方に付勢された可動式把持用突起であり、上記キャップ把持部が上記回転式キャップを開栓する方向に回転した際に当該回転式キャップの側壁を把持して回転することを特徴とするものである。
【００１４】
そして、請求項４に記載の本発明は、請求項１〜３のいずれかに記載の回転式キャップ抜き具において、上記キャップ把持部の中心には、軸線方向に貫通する貫通孔が穿設されているとともに、上記回転軸に連結する円筒状の連結部が設けられ、かつ上記貫通孔に押出し棒が上記凹部内に出没自在に挿通されているとともに、上記連結部の内部に上記押出し棒を上記凹部側に向けて付勢する付勢手段が設けられていることを特徴とするものである。
【００１５】
また、請求項５に記載の本発明は、請求項１〜４のいずれかに記載の回転式キャップ抜き具において、上記キャップ把持部の上記把持用突起の各々の内周面が、上記先端面側から上記基端面側に向けて内方に傾斜して形成されていることを特徴とするもんである。
【発明の効果】
【００１６】
請求項１〜５に記載の本発明によれば、ケース本体の先端部の開口縁部に設けられた容器固定部が、飲料容器の首部の側面を挟持して支持するとともに、当該ケース本体内の回転軸の先端部に設けられたキャップ把持部が、当該飲料容器の開口部に螺着された回転式キャップを把持するため、モータの駆動により、上記飲料容器の開口部に螺着された上記回転式キャップを簡便に開けることができる。これにより、片手が不自由な人や手の握力の弱いお年寄りでも、飲料容器の上記回転式キャップを他人の手を煩わすことなく開けて、飲むことができる。
【００１７】
請求項２に記載の本発明によれば、上記容器固定部は、内周面の円周方向の少なくとも二箇所に固定用突起が設けられ、少なくとも一方が弧状なしているとともに、当該円周方向の一端側が回動自在に支持されて、付勢部材により当該一端側を支点に径方向内方に付勢された可動式固定用突起であり、上記キャップ把持部が上記回転式キャップを把持して回転した際に、上記首部の側面を挟持して当該飲料容器の回転を阻止するため、上記モータを回転させることによって、容易に上記飲料容器を支持するとともに、当該飲料容器に加わっていた回転トルクが無くなると、上記首部の側面の挟持を解除することができる。この結果、コストを掛けずに簡単の構造によって、容易に上記回転式キャップを取り外すことができ、様々な墓所で導入し易くすることができる。
【００１８】
請求項３に記載の本発明によれば、上記キャップ把持部は、上記回転式キャップが挿入可能な凹部が形成され、当該凹部の内周面の円周方向の少なくとも二箇所に把持用突起が設けられ、少なくとも一方が弧状をなしているとともに、当該円周方向の一端側が回動自在に支持されて、付勢部材により当該一端側を支点に径方向内方に付勢された可動式把持用突起であり、上記キャップ把持部が上記回転式キャップを開栓する方向に回転した際に当該回転式キャップの側壁を把持して回転するため、上記キャップ把持部に上記回転式キャップを挿入して、当該キャップ把持部をモータによって回転させることにより、当該回転式キャップを確実に把持し、上記飲料容器の開口部に螺着されている当該回転式キャップを簡便に取り外すことができるとともに、上記キャップ把持部の回転を停止させると、上記回転式キャップの側壁への把持を解除することができる。これにより、上記飲料容器の開口部側のタンパーエビデンスリングに取り付けられた、上記回転式キャップを簡便に離脱させて、取り外すことができるとともに、上記開口部から取り外した上記回転式キャップも容易に上記キャップ把持部から取り出すことができる。
【００１９】
請求項４に記載の本発明によれば、上記キャップ把持部の中心に、軸線方向に貫通する貫通孔が穿設されているとともに、上記回転軸に連結する円筒状の連結部が設けられ、かつ上記貫通孔に押出し棒が上記凹部内に出没自在に挿通されているとともに、上記連結部の内部に上記押出し棒を上記凹部側に向けて付勢する付勢手段が設けられているため、上記モータの回転を確実に、上記キャップ把持部に伝達させることができるとともに、取り外したキャップが上記キャップ把持部の上記凹部内に残ってしまうことを防ぐことができる。
【００２０】
請求項５に記載の本発明によれば、上記キャップ把持部の上記把持用突起の各々の内周面が、上記先端面側から基端面側に向けて内方に傾斜して形成されているため、上記回転式キャップの外径寸法に、多少のバラツキがあったとしても、しっかりと把持することができる。この結果、製造メーカーに関係なく、上記回転式キャップを把持することができる。
【図面の簡単な説明】
【００２１】
【図１】本発明に係る回転式キャップ抜き具の一実施形態を示す、縦断面図である。
【図２】（ａ）は図１のＡ−Ａ端面図、（ｂ）は図１のＢ−Ｂ断面図である。
【図３】図１の使用状態を示す縦断面部である。
【図４】（ａ）は図３のＣ−Ｃ断面図、（ｂ）はＤ−Ｄ断面図である。
【発明を実施するための形態】
【００２２】
図１に示すように、本発明の一実施形態の回転式キャップ抜き具１は、先端部２ａの開口部に飲料容器１０の首部１０ａが同軸上に挿入されるケース本体２と、当該ケース本体２の内部に、このケース本体２と同軸上に回転自在に設けられた回転軸３と、当該回転軸３を回転させるギヤードモータ１８とを備えて概略構成されている。
【００２３】
ここで、ケース本体２は、その基端部２ｂ側に、絶縁体からなる支持部材１６を介して、ギヤードモータ１８が設けられている。このギヤードモータ１８は、モータ１１と、このモータ１１のシャフトに接続される複数の減速ギヤ列を備えたギヤヘッド１２とにより構成されている。そして、ギヤヘッド１２の減速ギヤ列からの回転を伝達する回転軸３がケース本体２の基端部２ｂに同軸上に挿入されている。この回転軸３は、外周面に絶縁物質が塗布されているとともに、先端面３ｂが凸状に形成されている。
なお、本実施形態においては、回転数を２０ｒ／ｍｉｎ、定格トルクを２．５Ｎ・ｍに設定したギヤードモータ１８を使用している。また回転軸３は、図２（ａ）の断面視において、反時計回り（回転式キャップを開栓する方向）に回転する。
【００２４】
そして、ケース本体２は、略円筒状に形成され、基端部２ｂ側に回転自在に配設された回転軸３の先端部に、回転式キャップ１０ｂを把持して、回転軸３と一体的に回転するキャップ把持部４が、連結部９を介して設けられている。このキャップ把持部４は、円柱状に形成されているとともに、その先端面に回転式キャップ１０ｂが挿入可能な寸法（φ２７〜３８ｍｍ）に穿設された凹部４ａが形成されている。この凹部４ａは、そのの口径が、先端面から基端面に向けて漸次狭くなる（本実施形態においては基端面φ２７ｍｍ、先端面φ２９ｍｍ）ように形成されている。
【００２５】
さらに、キャップ把持部４の凹部４ａは、図２（ａ）に示すように、その内周面の円周方向の略対峙する位置に、回転式キャップ１０ｂを把持する把持用突起７が各々設けられている。この把持用突起７の各々の内周面が、先端部２ａ側から基端部２ｂ側に向かうに従い、軸線方向に対して３°の傾きになるように内方に傾斜して形成されているとともに、断面視において、軸線方向に延在する引掻き部７ｄが形成されている。この引掻き部７ｄは、端面視において、軸回り方向の３２〜３４℃の角度範囲に、等間隔に複数（図では６つ）形成されている。また、各々の引掻き部７ｄが、軸回り左方向（反時計回り）に進むに連れて傾斜して形成されている。
【００２６】
また、凹部４ａの内周面の円周方向に形成された把持用突起７の一方が、当該円周方向上に一端部７ａ側が支持されているとともに、他端部７ｂ側に把持用突起７が設けられた弧状をなした可動式把持用突起７ｃとなっている。この可動式把持用突起７ｃは、Ｏリング（付勢部材）１４により、一端部７ａ側を支点に、他端部７ｂ側が径方向内方に付勢している。このＯリング１４は、キャップ把持部４の外周面と、可動式把持用突起７ｃの外周面に軸線周り方向に周設された溝内に嵌合されている。
【００２７】
そして、キャップ把持部４の中心には、軸線方向に貫通する貫通孔４ｂが穿設されているとともに、基端部２ｂ側に連結部９が一体に設けられている。この連結部９は、筒状に形成され、その内径が貫通孔４ｂと同軸上に配置されているとともに、貫通孔４ｂの径寸法よりも大きな内径寸法により形成されている。また、キャップ把持部４と連結部９との接合部には、ベアリング１７が設けられている。このベアリング１７は、その外周面がケース本体２の内周面に当接されている。
【００２８】
そして、貫通孔４ｂおよび連結部９内に押出し棒８が、配設されている。この押出し棒８は、円柱状に形成されているとともに、その基端部８ｂが先端部８ｃより外径寸法の大きな円板状に形成され、かつ基端部８ｂの端面８ａが凸部状に形成されている。また、基端部８ｂと先端部８ｃとの間に、基端部８ｂの外径寸法よりも若干大きな外径寸法のストッパー部８ｄが一体に形成されている。このストッパー部８ｄにより、上記貫通孔から押出し棒８が抜け落ちることなく、キャップ把持部４の凹部４ａ内に、先端部８ｃが出没自在に挿通されて設けられている。
【００２９】
さらに、連結部９の内部において、押出し棒８のストッパー部８ｄ上に配設されているとともに、一端側が基端部８ｂに挿入されたバネ部材（付勢手段）１５が設けられている。このバネ部材１５は、他端側が回転軸３の先端面３ｂの凸部に係合されて、ケース本体２の基端部２ｂ方向への移動が規制されている。これにより、押出し棒８が凹部４ａ側に向けて付勢されている。また、回転軸３は、連結部９に挿入されて同軸上に固定され、回転軸３と連結部９とが接続されている。
【００３０】
また、キャップ把持部４のケース本体２の先端部２ａ側には、この先端部２ａの開口縁部に、ペットボトル１０の首部１０ａの側面を挟持して、当該ペットボトル１０を支持する容器固定部５が設けられている。この容器固定部５は、ケース本体２の先端部２ａに、例えば、ビスや螺合によって、一体的に設けられている。
【００３１】
そして、容器固定部５は、円筒状に形成されているとともに、内径がキャップ把持部４の外径より小さい寸法に形成され、かつ凹部４ａの先端面側の口径より大きい寸法（φ３０〜４０ｍｍ）に形成されている。また、図２（ｂ）に示すように、容器固定部５の内周面の円周方向の略対峙する位置に、ペットボトル１０の首部１０ａの側面を挟持して、当該ペットボトル１０を支持する固定用突起６が各々設けられている。
【００３２】
さらに、固定用突起６の各々には、断面視において、軸線方向に延在する引掻き部６ｄが形成されている。この引掻き部６ｄは、端面視において、軸回り方向の３２〜３４℃の角度範囲に、等間隔に複数（図では６つ）形成されている。また、各々の引掻き部６ｄが、軸回り右方向（時計回り）に進むに連れて傾斜して形成されている。
【００３３】
また、容器固定部５の内周面の円周方向に形成された固定用突起６の一方が、当該円周方向上に一端部６ａ側が支持され、かつ他端部６ｂ側に固定用突起６が設けられた弧状をなす可動式固定用突起６ｃとなっている。この可動式固定用突起６ｃは、その外周面の周方向の中央に、バネ部材（付勢部材）１３が当接されている。このバネ部材は、容器固定部５の内周面に穿設された凹部に係合されている。このバネ部材１３により、可動式固定用突起６ｃの一端部７ａ側を支点に、他端部７ｂ側を径方向内方に付勢している。
【００３４】
以上の構成による回転式キャップ抜き具１を用いて、ペットボトル１０の開口部に螺着されている回転式キャップ１０ｂを外すには、まず、絶縁体からなる支持部材１６を、例えば、飲料用の自動販売機に取り付ける。この際に、絶縁体からなる支持部材１６により、ギヤードモータ１８とケース本体２とが絶縁状態で取り付けられる。
【００３５】
次いで、ケース本体２の先端部２ａから、ペットボトル１０の回転式キャップ１０ｂを挿入して、図３に示すように、回転式キャップ１０ｂの先端を、キャップ把持部４の凹部４ａの基端部２ｂ側に当接させる。これにより、凹部４ａの中心に、バネ部材１５の付勢により先端部８ｃ突出している押出し棒８が、バネ部材１５の付勢に抗して、基端部２ｂ側に押し込まれて、押出し棒８の基端部８ｂの端面８ａと、回転軸３の先端面３ｂとが当接される。
【００３６】
これにより、ギヤードモータ１８とケース本体２とが導電される。この際に、例えば、乾電池（図示なし）などの直流電流が通電されることによって、マグネットスイッチ（図示なし）が作動するととともに、このマグネットスイッチのＯＮ／ＯＦＦによって、ギヤードモータ１８に交流電流が供給される構成にすることで、当該ギヤードモータ１８のスイッチを別に設置することなく、ペットボトル１０をケース本体２に挿入することにより、片手でも簡単に行うことができる。
【００３７】
そして、ギヤードモータ１８に交流電流が供給されると、ギヤヘッド１２の回転が回転軸３に伝達されるとともに、この回転軸３に接続されたキャップ把持部４が、連結部９を介して反時計回りに回転する。この際、ギヤードモータ１８は、２０ｒ／ｍｉｎの回転数により、２．５Ｎ・ｍの回転トルクが、回転軸３に伝達される。
【００３８】
さらに、回転軸３の回転により、図４（ａ）に示すように、回転式キャップ１０ｂの側壁に、キャップ把持部４の凹部４ａの周方向の略対峙した位置に設けられた各々の把持用突起７の引掻き部７ｄにより、当該回転式キャップ１０ｂが把持される。
【００３９】
これは、把持用突起７の一方の可動式把持用突起７ｃが、Ｏリング１４により一端部７ａ側を支点に他端部７ｂ側が径方向内方に付勢されているとともに、この可動式把持用突起７ｃの引掻き部７ｄが、軸回り左方向（反時計回り）に進むに連れて傾斜して形成されているため、回転トルクが加わることにより、回転式キャップ１０ｂの側壁に食い込むことになる。これは、パイプを回すパイプレンチと同じ作用が働くためである。
【００４０】
一方、回転式キャップ１０ｂがキャップ把持部４により把持されて、反時計回りに回転すると、図４（ｂ）に示すように、ペットボトル１０の首部１０ａが当接されている固定用突起６の引掻き部６ｄが、当該首部１０ａの側面を挟持して、ペットボトル１０を支持し、ペットボトル１０が反時計回りに回転しまうことを阻止する。
【００４１】
これは、固定用突起６の一方の可動式固定用突起６ｃが、バネ部材１３Ｏにより一端部６ａ側を支点に、他端部６ｂ側が径方向内方に付勢されているとともに、この可動式固定用突起６ｃの引掻き部６ｄが、軸回り右方向（時計回り）に進むに連れて傾斜して形成されているため、回転トルクが加わることにより、首部１０ａの壁面に食い込むことになる。これは、キャップ把持部４の様に、パイプを回すパイプレンチと同様な作用が働くためである。
【００４２】
これにより、ペットボトル１０の開口部に螺着されている回転式キャップ１０ｂを取り外すことができる。そして、ギヤードモータ１８に供給されている電力を遮断することにより、回転軸３の回転が停止される。これにより、回転トルクによって回転式キャップ１０ｂの側壁を把持していたキャップ把持部４の把持用突起７が外れるとともに、首部１０ａの側面を挟持していた容器固定部５の固定用突起６が外れる。
【００４３】
また、この際、ギヤードモータ１８に供給される電力は、上記マグネットスイッチを作動させることにより行うが、このマグネットスイッチ作動にタイマを組み込むことにより、回転軸３の回転数を調整することができる。例えば、タイマを２〜３秒経過した後に、上記マグネットスイッチをＯＦＦにするように設定した場合には、回転式キャップ１０ｂをペットボトル１０の開口部から完全に取り外さずに、回転式キャップ１０ｂを首部１０ａに設けられたタンパーエビデンスリングから切り離し、数回転させた後に回転を停止させることになる。
【００４４】
このため、ペットボトル１０をケース本体２から抜き取っても、回転式キャップ１０ｂ自体が地面などに落下しないようすることができる。この結果、回転式キャップ１０ｂが地面に転がって汚れてしまったり、紛失してしまうことを防ぐことができる。
【００４５】
この様にして、上記自動販売機に回転式キャップ抜き具１を取り付けることにより、手の不自由な人や握力の無い人が、たペットボトル１０を購入した際に、他の人を煩わすことなく、回転式キャップ１０ｂを取り外すことが可能となる。
【００４６】
上述の実施形態による回転式キャップ抜き具１によれば、ギヤードモータ１８の駆動により、連結部９を介してキャップ把持部４が回転軸３と一体的に回転することにより、ケース本体２の先端部２ａの設けられた容器固定部５の内周面の円周方向に、略対峙した位置に設けられた固定用突起６と可動式固定用突起６ｃの各々の引掻き部６ｄが、ペットボトル１０の首部１０ａの側面を挟持して支持するとともに、ケース本体２内に設けられたキャップ把持部４の凹部４ａの内周面の円周方向に、略対峙した位置に設けられた把持用突起７と可動式把持用突起７ｃの引掻き部６ｄが、回転式キャップ１０ｂの側壁を把持するため、ペットボトル１０の開口部に螺着された回転式キャップ１０ｂを、片手で簡便に取り外すことができる。これにより、片手が不自由な人や手の握力の弱いお年寄りでも、ペットボトル１０を購入した際に、他の人の手を煩わすことなく、回転式キャップ１０を開けて、飲むことができる。
【００４７】
また、容器固定部５に設けられた固定用突起６と可動式固定用突起６ｃ、およびキャップ把持部４に設けられた把持用突起７と可動式把持用突起７ｃとが、回転トルクが無くなることにより、首部１０ａの側面の挟持、および回転式キャップ１０ｂの側壁の把持が解除されるため、ギヤードモータ１８の駆動のＯＮ／ＯＦＦによって、回転式キャップ１０ｂの側壁への把持、およびペットボトル１０の首部１０ａの側面への挟持を簡単に行うことができる。
【００４８】
そして、キャップ把持部４の中心に穿設された貫通孔４ｂに、バネ部材１５を介して設けられた押出し棒８が、バネ部材１５の付勢に抗して、ケース本体２の基端部２ｂ側に押し込まれることにより、絶縁体からなる支持部材１６によって設けられたギヤードモータ１８とケース本体２とを導通させることができるため、ギヤードモータ１８に供給される電力のＯＮ／ＯＦＦを容易に行うことができる。これにより、別にスイッチを設けることなく、ペットボトル１０をケース本体２に挿入することにより、ギヤードモータ１８のＯＮＯＦＦを行うことができ、片手でも簡単に利用することができる。
【００４９】
なお、上記実施の形態において、キャップ把持部４の可動式把持用突起７ｃを凹部４ａの径方向内方に付勢する付勢部材に、Ｏリング１４を用いる場合のみ説明したが、これに限定されるものでなく、例えば、輪ゴムやビアノ線などを用いても対応可能である。
【産業上の利用可能性】
【００５０】
回転式キャップが開口部に螺着されたペットボトルなどに利用することができる。
【符号の説明】
【００５１】
１  回転式キャップ抜き具
２  ケース本体
２ａ  先端部
３  回転軸
３ａ  先端部
４  キャップ把持部
４ａ  凹部
４ｂ  貫通孔
５  容器固定部
６  固定用突起
６ａ  一端部
６ｂ  他端部
６ｃ  可動式固定用突起
７  把持用突起
７ａ  一端部
７ｂ  他端部
７ｃ  可動式把持用突起
８  押出し棒
９  連結部
１０  ペットボトル（飲料容器）
１０ａ  首部
１０ｂ  回転式キャップ
１１  モータ
１２  歯車列
１３  バネ部材（付勢部材）
１４  Ｏリング（付勢部材）
１５  バネ部材（付勢手段）
【図１】
2013095493.tif 000003
【図２】
2013095493.tif 000004
【図３】
2013095493.tif 000005
【図４】
2013095493.tif 000006